(57)【要約】【課題】従来のゲ−トボ−ルは１０個のボ−ルを１０人が各自１個の自球として用い、３０分の競技時間で交互に打撃し競技を行うため、一人の競技時間は約３分位となり、競技時間が短い問題点が有り、更に、スティックヘッドが長く硬いため、大きな打撃音を発生させ、騒音問題となった。そして、ゴルフやビリヤ−ドを応用した競技等に用いる用具の構成では、元来の競技用具を単に応用した簡易型の為、用具に対応した新たな競技ル−ル及び新たなスポ−ツとしての評価を得ることが出来ない問題点が有った。【解決手段】開口部３と略円弧状のポケット部４を設けたポケット付コ−ナ−５とアウトライン７及び硬質材からなる１個の黒色の標的球と異なる色彩に異なる数字を記した複数個の標的球と２個の異なる色彩の自球と、硬質の部材からなる短い打撃部１４とグリップ部１５とシャフト部１６から形成されたショット用具１０などの用具の組み合わせによって解決を図る。【選択図】図１
2008154993.tif 000002
【特許請求の範囲】
【請求項１】
四面を有するコ−ト（１）の各コ−ナ−（２）の二辺に合致する開口部（３）と略円弧状のポケット部（４）を設けたポケット付コ−ナ−（５）を該コ−ト（１）の該各コ−ナ−（２）に配設するが、この配設された該ポケット付コ−ナ−（５）間にはラインテ−プ（６）を用いてアウトライン（７）を設け、そして、該コ−ト（１）で使用する球の種類は、ダブルショットで前記ポケット付コ−ナ−（５）若しくは多方面へ向かって転がす硬質材からなる１個の黒色の標的球と異なる色彩に異なる数字を記した複数個の標的球と、ショット用具（１０）で打撃する球は異なる色彩の先攻と後攻用の２個の硬質材からなる競技者用の自球とで構成され、また、前記自球を打撃するショット用具（１０）は、打撃部Ａ（１２）と打撃部Ｂ（１３）を包括した硬質の部材からなる打撃部（１４）と、グリップ部（１５）を設けたシャフト部（１６）からなり、該打撃部Ａ（１２）及び打撃部Ｂ（１３）は前記シャフト部（１６）を略中心にして隣接して短く形成されているものであり、これらの上記各用具の組み合わせによって実施される競技に用いることを特徴とする球技用具。
【請求項２】
四面を有するコ−ト（１）の各コ−ナ−（２）の二辺に合致する開口部（３）と略円弧状のポケット部（４）を設けた該各コ−ナ−（２）に設置する標的球を入れるポケット付コ−ナ−（５）であるが、前記ポケット付コ−ナ−（５）の底面には前記コ−ト（１）に固定する棒状で雄ねじＡ（１７）を形成しているコ−ト固定部品（１８）を螺着する雌ねじＡ（１９）からなる複数個の装着部Ａ（２０）を設け、該装着部Ａ（２０）に複数個の該コ−ト固定部品（１８）を螺着し、そして、前記コ−ト（１）の前記各コ−ナ−（２）に設置し、該ポケット付コ−ナ−（５）間をラインテ−プ（６）を用いてアウトライン（７）を設けて球技用の専用コ−ト（２１）を作成することを特徴とする球技用具。
【請求項３】
「請求項  １」乃至「請求項  ２」に記載の球技用具においては、前記ポケット付コ−ナ−（５）には、開口部（３）及び誘導部（２２）及び略円弧状のポケット部（４）を設けたことを特徴とする球技用具。
【請求項４】
「請求項  １１及び「請求項  ３」に記載の球技用具においては、前記ポケット付コ−ナ−（５）の底面には、前記コ−ト（１）に固定する棒状で雄ねじＡ（１７）を形成しているコ−ト固定部品（１８）を螺着する雌ねじＡ（１９）からなる装着部Ａ（２０）を設け、該装着部Ａ（２０）に該コ−ト固定部品（１８）を螺着したことを特徴とする球技用具。
【請求項５】
「請求項  １」及び「請求項  ３」に記載の球技用具においては、前記ポケット付コ−ナ−（５）の底面には、人工芝（２３）を挾むシ−ト挾着部品（２４）を装着する雌ねじＢ（２５）からなる装着部Ｂ（２６）が設けられ、該ポケット付コ−ナ−（５）に該人工芝（２３）を挾着する該シ−ト挾着部品（２４）と雄ねじＢ（２７）を設けていることを特徴とする球技用具。
【請求項６】
「請求項  １」及び「請求項  ３」及び「請求項  ５」に記載の球技用具においては、前記ポケット付コ−ナ−（５）の底面の両側部には装着部Ｃ（２８）を設け、該装着部Ｃ（２８）に、ライン材Ａ（２９）に形成された装着部Ｄ（３０）を装着し、アウトライン（７）として配設することを特徴とする球技用具。
【請求項７】
「請求項  １」に記載の球技用具においては、前記ショット用具（１０）は、打撃部（１４）の打撃部Ａ（１２）の先端部に滑り止め（３１）を設けたことを特徴とする球技用具。
【請求項８】
「請求項  １」及び「請求項  ７」に記載の球技用具においては、前記ショット用具（１０’）の打撃部（１４’）には空洞部を設けないことを特徴とする球技用具。
【請求項９】
「請求項  ２」乃至「請求項  ８」に記載の球技用具においては、前記コ−ト（１）の前記各コ−ナ−（２）に埋設する複数個の筒状の挿脱管（３２）であって、前記ポケット付コ−ナ−（５）に装着した前記コ−ト固定部品（１８）を挿入することを特徴とする球技用具。
【発明の詳細な説明】
【技術分野】
【０００１】  本発明は、打撃を伴う球技で、屋外のゲ−トボ−ル場や公園や空き地やビルの屋上や室内のフロア等で簡単に球技用の専用コ−トが簡単に出来、各用具の組み合わせによって新しい競技が実施出来る球技用具の提供に関する。
【背景技術】
【０００２】  従来の屋外や屋内で行う球を用いた簡単な競技に用いる用具としては、ゲ−トボ−ル、ゲ−トゴルフ、ビリヤ−ド、グランドゴルフ、ランボ−ル等がある。【０００３】  ゲ−トボ−ルの用具は、赤組の奇数の１．３．５．７．９と白組の偶数の２．４．６．８．１０の競技者１０人で競技するが、用具は奇数の数字を付した赤玉と偶数の数字を付した白玉の合計１０個と、スティックはヘッドの直径４〜４．５センチで長さ１８〜２０センチ、柄は長さ７１〜９１センチであり、コ−トは第１ラインと第２ラインを有し、自球をスティックで打撃し第１ゲ−ト、第２ゲ−ト、第３ゲ−トを通過させ、ゴ−ルポ−ルに当てて得点を競うが、他球にタッチしたときにはスパ−ク打撃でコ−ト外に出したり、送り玉にして作戦を用いて３０分間で得点を獲得する競技に用いる。【０００４】  また，ゲ−トゴルフに用いる用具は、ゲ−トボ−ルの用具を使用して一つのゲ−トを通過させ、少ない打数でホ−ルカップに入れるかを競う競技に用いる用具である。【０００５】  更に、ビリヤ−ドの用具は、１０００ｍｍ以上で皮製のタップがついているキュ−と、ボ−ルは６オンスの硬質プラスチックで、白い手球１個と１５個の的球のカラ−ボ−ルには定められた番号を付し、長方形のビリヤ−ドテ−ブルの内側には三角形のクッションと、そして、四つの角にコ−ナ−ポケットと二辺の中間部にはサイドポケットを設け、前記ビリャ−ドテ−ブルの上に的球を置き、手球をキュウで撞く競技に用いる。【０００６】  また更に、グランドゴルフの用具は、長さ８３センチ、子供用は７３センチの平面で楕円状の打撃部とシャフト部から構成されたスティックと、それぞれ異なった６色の専用カラ−ボ−ルと、大小の二重輪状のホ−ルポストと、スタ−トマットにボ−ルを置いて該スティックで打撃してホ−ルポストに入れるゴルフル−ルを用いて競技を行う用具である。【０００７】  そして、ランボ−ルの用具は、ゴルフコ−スのようなコ−スで、グリ−ン上に設けられたカップより３０センチ離れた位置に置かれたジャクボ−ル（親玉）を、マスタ−ボ−ル（持ち玉）を凸面を設けたビンの蓋状の打撃部とグリップ部を設けたシャフト部から構成されたクラブで打撃し、該カップに入れる競技用具である。【０００８】
【非特許文献１】  特許公開平６−１２１８６５  更に、囲い枠と紅白２色のボ−ルを２個づつと、ゴルフ用クラブ、アイアンや、ゲ−トボ−ル用のスティックや独自の叩き器具とで構成し、ボ−ルとボ−ルを当てて勝負するもので、ゴルフのように立った姿勢でボ−ルを叩きビリヤ−ドの等のル−ル等で勝負する球技でビリヤ−ド、ゴルフ、ゲ−トボ−ルの３競技をミックスした球技セットがある。【０００９】
【登録実用新案文献１】
登録実用新案第３０４５９７１号
また、複数の枠体、辺部球溝及び角部球溝及び一つの底面体を包括し、該辺部球溝は一つの円弧状の溝枠とされ、該角部球溝は角状の溝枠とされ、該辺部球溝と角部球溝の溝枠内側にそれぞれ入り口が設けられ、該入り口の底部に二つの斜面からなる連続斜面を有するストッパ−が設けられ、該溝枠の前側上端に円弧状のカバ−が設けられ、該溝枠の二側外面の前後それぞれに、表面に複数の締めつけリブを具えた一つの突起が設けられ、各突起より外側の位置にそれぞれ突出ブロックが設けられ、前方の上記突起の底部に一つの係止板が設けられ、前述の枠体は、外枠体と内枠体からなり、この二つの枠体が中空体とされてリブ板により一つの突起孔が形成され、さらに外枠体底部と底面体の周囲に設けられた粘着帯が結合させられ、以上の構成よりなる、ビリヤ−ド型ゴルフ練習具。
【００１０】
【登録実用新案文献２】
登録実用新案第３０３１２６８号
そして、ポケットビリヤ−ドのゲ−ムフィ−ルドより１．５〜２．５倍拡大されたゲ−ムフィ−ルドと、該フィ−ルド内に設置される１〜１５迄の番号が付された１５個のボ−ル、１個の手玉とを備え、該ゲ−ムフイ−ルド面は人工芝等のようなボ−ルの転がりのよいシ−ト状物から構成され且つ外周部にフイルド外への飛び出しを防止するための外枠が設置固定され、該外枠には４隅角部と長辺側の中点との都合６箇所にゲ−トが設けられ、ゲ−ムフィ−ルド内に立ち入った遊戯者がスティックのヘッドで手玉をヒット出来るように構成されている遊戯設備。
【発明の開示】
【発明が解決しようとする課題】
【００１１】  以上に述べた従来のゲ−トボ−ルは、５人対５人の１０人で対戦する競技であり、作戦や頭脳プレ−を要する競技であるのでチ−ムプレ−をすることが好ましいが、技量や経験の差や高年齢などの影響によって、チ−ムの和を保つことに困難していた。そして、用具のスティックの形状や大きなゼッケンやウエア−や帽子等を使用した容姿が高齢者向きと感じられるために若者に浸透しなかった。また、３０分の競技時間を１０人でおこなうため、一人の持ち時間は約３分位であるが、何度もアウトボ−ルでコ−ト外に出されると競技時間は極端に短くなり、殆ど競技を行う事が出来ない欠点が有った。【００１２】  そして、ゲ−トボ−ル競技の快感は、ゲ−ト通過とスパ−ク打撃であるが、スティクのヘッドが長く大きく硬く、更に、ル−ルで相手のボ−ルを第一ライン外に出すことを目的としているので、打撃時に大きな打撃音がすることで、早朝の練習場付近の家庭から苦情が出ている。これは、金属ヘッドの内部が空洞になっているための反響音も影響してる。【００１３】  また、ゲ−トゴルフは、ゴルフのル−ルにゲ−トボ−ルの用具を用いることで、頭脳を使ったり、ゴルフのように高度な技術が要求されることはなく、競技が単調で用具の使用にも高度な技術が要求されるものでないので飽きてしまう欠点があった。【００１４】  更に、グランドゴルフ競技においては、専用のスティックでゴルフル−ルを利用するが、ゴルフと違い距離が極端に短く（長い外回りで５０メ−トル）、高度な技術が必要なスポ−ツではないことで、前記ゲ−トゴルフと同様に少し慣れると単調で飽きてしまう欠点がある。【００１５】  そして、ランボ−ル競技においても、ゲ−トゴルフ競技やグランドゴルフ競技と同様に競技ル−ルに従った用具の使用においては単調で飽きてしまう欠点があった。【００１６】  更に、球技セットにおいては、四角形、又は長方形の囲い枠内において、ゴルフ用のクラブやアイアンや、又はゲ−トボ−ル用のスティックか、又は独自の長柄の叩く器具でボ−ルを叩き転がして競技をし、ル−ルはビリヤ−ドのル−ルを用いたり、独自のル−ルを用いて競技すると有るが、該囲い枠内においてはビリヤ−ド台に有るボ−ルの入るポケットは無く、該囲い枠は外に飛び出すことを防止するものである。そして、独自の叩き体は、ビリヤ−ドの玉を撞くキュ−のように先端が細く突出させた叩き部を有しているが、先端の細い叩き部で硬質のボ−ルを撞くので無く叩けば折れたり欠けたりする事は容易に想定出来、ユ−ザ−への製品提供に対する不安が有る。【００１７】  また、ビリヤ−ド型ゴルフ練習具においては、辺部球溝及び角部球溝にはカバ−やストッパ−や連続斜面等を設け、更に枠体においても内枠体と外枠体で構成され、該内枠体と該外枠体は中空体とされているので構造が複雑であるので製造コストが高くなり製品価格は格段に高くなる問題点がある。そして、球技として使用する場合、辺部球溝を２ケ所設けているが、ビリヤ−ドは、ビリヤ−ドテ−ブルのクッションは微妙な角度を生み出し、キュ−の撞き方と相まって高度な技術を要求する球技であるので、該ビリヤ−ド型ゴルフ練習具ではゴルフの技術向上には問題がある。【００１８】  そして、遊戯設備に��いては、ビリヤ−ドとゲ−トボ−ルとの遊戯性を併せ持ち、ビリヤ−ドのゲ−ムフィ−ルドより１．５〜２．５倍の人工芝生等のようなシ−ト状物から構成され、ボ−ルが通過するゲ−トが設けられ、更にフイ−ルド外への飛び出しを防止するための外枠の４隅と長辺側の中点２箇所の合計６箇所にゲ−トが設けている。そして、この飛び出し防止の外枠を設けていることで、ゲ−トボ−ルでは第１ラインからボ−ルが出るとアウトボ−ルとしての罰則が有り、そのアウトボ−ルになった競技者に打順がきても、他のボ−ルに当てたりゲ−トを通過させることも出来ず、只コ−ト内にボ−ルを入れることのみ認められていることで、競技における作戦を立てての頭脳戦が展開されるが、その頭脳作戦の必要性が無くなり競技に面白みが出ない。また、外枠の長さはフィ−ルドの１．５倍から２．５倍の大きさとしているので、３８１０ミリ〜６３５０ミリとなり、その半分でも１．９メ−トル以上となり持ち運びが不便である。【００１９】  因みに、これらの打撃を伴う球技に用いる用具は、ゲ−トボ−ルでは、長いヘッドのスティックと赤色の奇数（１．３．５．７．９）番号と白色の偶数（２．４．６．８．１０）番号のボ−ルと、競技コ−トは第１ラインと第２ラインとで形成され、該コ−トの中に第１ゲ−ト、第２ゲ−ト、第３ゲ−ト、ゴ−ルポ−ルを配設している。【００２０】  そして、ビリヤ−ドに用いる用具は、手玉を撞くキュ−の構成は、先端からタップ、先角、シャフト、ジョイント、バット、キュ−尻、バンバ−であり、キュ−の先端に設けた革製のタップに塗る滑り止め材であるチョ−クと、ボ−ルは硬質プラスチックで１〜１５の数字を付したカラ−ボ−ル１５個と白の手玉で、テ−ブルは、長さと幅の比率は２対１で、クッションエッジの内部はゴムで形成され、６箇所の略半円形のボ−ルが落下するポケットを設けている。【００２１】  本発明は、このような従来の球技用具を用いた問題を解決するものであり、４個のポケット付コ−ナ−、コ−ト四面のラインテ−プを用いたアウトライン、打撃部Ａと打撃部Ｂを包括した短い打撃部を設けたショット用具、２個の自球と１個の黒色の標的球と異なる色彩と数字の複数個の標的球等で構成された用具等を用いて、室内外のゲ−トボ−ル場を利用したり、空き地や室内のフロアやビルの屋上等で、広い場所を必要とせずに少人数でも簡単に競技出来、そして、一人の競技時間を長くして待ち時間が少なく飽きさせず、競技への面白みが沸き継続性も増し、打撃技術や打撃の快感も得て、そして打撃音を抑えて練習場付近の家庭からの苦情に対応出来る球技用具で課題の解決を図るものである。
【課題を解決するための手段】
【００２２】  上記課題を解決する本発明は次の通りである。
四面を有するコ−トの各コ−ナ−の二辺に合致する開口部と略円弧状のポケット部を設けたポケット付コ−ナ−を該コ−トの該各コ−ナ−に配設するが、この配設された該ポケット付コ−ナ−間にはラインテ−プを用いてアウトラインを設ける。【００２３】  そして、前記コ−トで使用する球の種類は、自球の横に標的球若しくは対戦相手の自球を横に並べ、該競技者が履いている競技シュ−ズで自球を押さえ若しくは前記自球の横に標的球若しくは対戦相手の自球を横に並べ、該自球を打撃（ダブルショットと言う。）し、その振動圧で前記標的球若しくは対戦相手の自球を前記ポケット付コ−ナ−若しくは多方面に転がす硬質材からなる１個の黒色の標的球と異なる色彩に異なる数字を記した複数個の標的球と、ショット用具で打撃する球は異なる色彩の先攻と後攻用の２個の硬質材からなる競技者用の自球とで構成されている。異なる色彩に異なる数字を記した前記標的球の個数は、好ましくは８個から１１個位が望ましいが、競技時間に対応して個数は増減出来る。【００２４】  また、１個の黒色の標的球を設けたことで、競技時間内に数字を記した標的球を全て両競技者でポケット付コ−ナ−に入れ終わり、一方の競技者が多く該標的球を入れていても、最後に残ったこの黒色の標的球を該ポケット付コ−ナ−に入れた競技者の勝利となる逆転の可能性を秘めたル−ルを作ることが出来る作用を有す。このようなル−ルであれば、初心者でも勝利の可能性があり、更に、技術だけではなく、運も大きく作用する球技が出来るので、最後まで勝利が判明しづらい、スリリングな作用が生じる。尚、黒色の標的球としているが、黒色に限定されるものでない。【００２５】  更に、一個の黒色の標的球を異なる色彩のカラフルな標的球の中に配置することで、際立った存在となり、本球技の印象を強くする作用と共に競技名称（球技名、ブラック  ボ−ル）に用いることも出来る。【００２６】  また、標的球を異なる色彩及び異なる数字を記した複数個としたことで、コ−ト内にカラフルな色彩球が配置されることで、明るく艶やかな球技スポ−ツを演出する事が出来、子供や若者等年齢、性別にも関係なく該球技スポ−ツを行うことが出来る作用を有す。
また、自球も異なる色彩球としたことで、自球と他球の判別もし易く、同様な作用を有す。【００２７】  そして、複数の前記標的球は競技規則に従って前記コ−ト内に配置し、１人対１人若しくは複数人対複数人の競技者は前記ショット用具を用いて前記自球を打撃し、その自球で前記標的球に当て、その当った該標的球を前記ポケット付コ−ナ−に入れるが、その方法は、その当たった該標的球若しくは相手の自球を該自球の横に並べ、該競技者が履いている競技シュ−ズで押さえ若しくは前記その当たった該標的球を該自球の横に並べ、前記ショット用具で該自球を打撃（ダブルショット）し、打撃振動圧で該標的球のみを前記ポケット付コ−ナ−に入れる若しくは多方面に転がす競技に用いる球技用具であるが、このとき、競技者はダブルショットでポケット部に入れる爽快感若しくは打撃爽快感を味わう作用を有す。【００２８】  また、前記自球を打撃するショット用具は、打撃部Ａと打撃部Ｂを包括した硬質の部材からなる打撃部と、グリップ部を設けたシャフト部とで構成されているが、該打撃部Ａ及び打撃部Ｂは前記シャフト部を略中心に隣接して短く形成されている。このように、打撃部の長さを短く形成したので、打撃時に打撃部の重量に係る衝撃が緩和され、打撃音が低下する作用を有す。打撃部の長さは、約１０センチメ−トル位が好ましいが限定されることはない。打撃部の直径は約４センチメ−トル位が望ましいが限定されることはない。【００２９】  また、ショット用具の打撃部を短くしたことで、電車やバスに持ち込んでも、街中を持ち歩いても邪魔にならず、違和感も起こらない作用を有す。【００３０】  また、ポケット付コ−ナ−を用いることで、コ−ト作りも簡単なことから、様々な場所で、場所もとらず、そして、一つのコ−トに先攻と後攻用の異なる色の２個の自球を用いることによって打球競技を少人数で行うことが出来るので、一人のプレ−時間を長くする作用を有す。自球の数は、シングルスの２個（各競技者各１個所持）、ダブルスでも２個を各チ−ム１個を所持し競技者が交互に打撃する。【００３１】  また、上記ショット用具のシャフト部を伸縮自在とすることも含むが、これによってコンパクトで持ち運び便利なショット用具となる。【００３２】  そして、アウトラインを設けたことで競技ル−ルに罰則を設けることが出来、罰則回避のための作戦を要することで競技内容に変化と面白みが出る作用を有す。【００３３】  前記ポケット付コ−ナ−は、前記四面を有するコ−トのコ−ナ−に使用のが好ましいが、六面や複数面を有するコ−トのコ−ナ−に使用する場合は、その使用するコ−トのコ−ナ−角度に対応した該ポケット付コ−ナ−を用いれば良く、四面のコ−トに使用限定されるものでない。【００３４】  そして、本明細書に記載のポケット付コ−ナ−の底面は一部若しくは全部を空洞としてもよく、材質は限定されるものでないが、間伐材を用いれば森林環境に貢献出来る。【００３５】  本明細書中に記載のアウトラインはラインテ−プとしているが、粉末のライン材やロ−プやラインを形成出来るものであっても良いが、ラインテ−プやロ−プを用いる場合はコ字型やＵ字型のライン押さえ釘で土に打ち込んで押さえればよく、コンクリ−トやフロア−の場合は粘着性のラインテ−プを用いるかアウトラインを記しても良い。【００３６】  また、本明細書中に記載の硬質材とは、樹脂や合成樹脂や金属やゴムや木材や強化木等を指す。【００３７】  更に、本明細書中に記載の自球及び標的球においては、記号、番号、模様やマ−クやキャラクタ−を用いても良いが、用いることに限定されない。【００３８】  そして、第２の解決手段は、四面を有するコ−トの各コ−ナ−の二辺に合致する開口部と略円弧状のポケット部を設けた該各コ−ナ−に設置する標的球を入れるポケット付コ−ナ−である。【００３９】  このポケット付コ−ナ−の底面には、前記コ−トに固定する棒状で雄ねじＡを形成しているコ−ト固定部品を螺着する雌ねじＡからなる複数個の装着部Ａを設け、該装着部Ａに複数個の該コ−ト固定部品を螺着するものである。【００４０】  そして、前記コ−トの前記各コ−ナ−に設置し、ラインテ−プを用いてアウトラインを設け、球技用の専用コ−トを形成する用に供するものである。このように、コ−ト固定部品を土のコ−トに差し込むたけで簡単に専用コ−トが作れ、持ち運びも便利で、移動しても簡単に該専用コ−トを形成する作用を有すと共に、１個のポケット付コ−ナ−に取り付けるコ−ト固定部品を複数とした事で横からの耐圧力が強くなるので、標的球がポケットに打ち込まれても動き難い作用を有す。また、１個のポケット付コ−ナ−に取り付けるコ−ト固定部品個数は、好ましくは２個若しくは３個で良い。【００４１】  本発明のコ−ト固定部品は、棒状の雄ねじＡと該雄ねじＡを螺着する雌ねじＡをもって土のコ−トに差し込む方法で説明しているが、棒状のコ−ト固定部品に限定されるものでなく、ネジを用いず、挿着式でもよく、また、ポケット付コ−ナ−とコ−ト固定部品が一体形成されたものやポケット付コ−ナ−の側面や背面への取付も含み、土のコ−トに固定する目的を達成するものであればよい。【００４２】  そして、前記ポケット付コ−ナ−をコンクリ−トやフロア−で使用する場合は、棒状のコ−ト固定部品を使用せず、両面テ−プのような簡易接着用品を利用して固定すれば取り外しも出来るが、また、常時固定してもよい。【００４３】  また、第３の解決手段は、「請求項  １」乃至「請求項  ２」に記載の球技用具においては、前記ポケット付コ−ナ−には、開口部及び誘導部及び略円弧状のポケット部を設けたことで、ダブルショットされた標的球がポケット部に入っても、該誘導部を設けたことで、該標的球が反発してコ−ト内へ戻る作用を抑えるので、該ポケット部に標的球が入った確認が出来ることでトラブルを防ぐことが出来る。【００４４】  そして、第４の解決手段は、「請求項  １」及び「請求項  ３」に記載の球技用具においては、前記ポケット付コ−ナ−の底面には、前記コ−トに固定する棒状で雄ねじＡを形成しているコ−ト固定部品を螺着する雌ねじＡからなる装着部Ａを設け、該装着部Ａに該コ−ト固定部品を螺着したことで、土のコ−トに該コ−ト固定部品を挿入することで球技専用コ−トを簡単に作ることが出来る。上記請求項２と同様である。【００４５】  また、第５の解決手段は、「請求項  １」及び「請求項  ３］に記載の球技用具においては、前記ポケット付コ−ナ−���底面には、人工芝を挾むシ−ト挾着部品を装着する雌ねじＢからなる装着部Ｂが設けられ、該ポケット付コ−ナ−に該人工芝を挾着する該シ−ト挟着部品を雄ねじＢで固定することで、室内のフロアやビルの屋上等で簡単に球技専用のコ−トを作れる。【００４６】  また、本明細書中では人工芝で説明しているが、人工芝に替わる繊維からなるシ−ト状のものであっても良い。また、挟着部品にねじ類を用いなくとも目的を達成すれば良い。【００４７】  また更に、第６の解決手段は、「請求項  １」及び「請求項  ３」及び「請求項  ５」に記載の球技用具においては、前記ポケット付コ−ナ−の底面の両側部には装着部Ｃを設け、該装着部Ｃに、ライン材Ａに形成された装着部Ｄを装着し、アウトラインとして配設したことで、前記コンクリ−トやフロア−や人工芝上でのアウトラインを設け易くなる作用を得る。このライン材Ａはアウトラインを目的としたもので、球のクッションに用いる目的としたものでないので、低いものが好ましい。【００４８】  このような構成によって、屋内、屋外に関わらず多くの費用もかからず簡単に球技専用のコ−トの作成が出来る。【００４９】  本明細書中に記載のライン材Ａとは、樹脂及び合成樹脂や木材や金属等で形成されたアウトラインとして使用出来るものを指す。【００５０】  そして、第７の解決手段は、「請求項  １」に記載の球技用具においては、前記打撃部Ａの先端部に滑り止めを設けたことで、前記自球の打撃時に対する回転や変化を生ずる作用を有す。【００５１】  更に、本明細書中に記載の滑り止めとは、ゴムや皮革や樹脂を用いたものや打撃部Ａ若しくは打撃部Ｂの表面に凹凸を設けることも含む。【００５２】  また、ショット用具の打撃部の両端の素材を変えることで、競技者の用具選定の幅が広がるものである。【００５３】  そして、本明細書中に記載の硬質の部材とは、強化木や木材や樹脂や合成樹脂や金属の材料を指す。【００５４】  更に、第８の解決手段は、「請求項  １」及び「請求項  ７」に記載の球技用具においては、前記ショット用具の打撃部には空洞部を設けないことで、打撃部の加工が簡単であると共に打撃時の打撃音がゲ−トボ−ルの金属のスティックのように中間部を空洞にしているものより、打撃音が低下する作用を有するので、打撃音の苦情を緩和することが出来る。【００５５】  そして、第９の解決手段は、「請求項  ２」乃至「請求項  ８」に記載の球技用具においては、前記コ−トの前記各コ−ナ−に埋設する複数個の筒状の挿脱管であって、前記ポケット付コ−ナ−に装着した前記コ−ト固定部品を挿入することで、簡単にポケット付コ−ナ−をコ−ナ−に設置する事が出来る事で、簡単に球技専用のコ−トを作る作用を有す。【００５６】  前記挿脱管の材質は、上中に放置するので、錆びにくい材質を用いることが好ましいので、塩化ビニ−ルなどが最適であるが、陶磁器やステンレス等でも良い、【００５７】  これらの上記各用具の組み合わせによって新規の球技を行える作用を有す。
【発明の効果】
【００５８】  上述したように、本発明の球技用具を用いて打球競技を行うが、ポケット付コ−ナ−を用いることで、屋外や屋内のゲ−トボ−ル場や空き地や公園やビルの屋上や室内のフロア等で、球技専用のコ−トが簡単で安価に作れる効果を奏す。【００５９】  また、１個の黒色の標的球を設けたことで、他の色彩の標的球の中に配置すると、際立った存在となり、本球技の印象を強くする効果と共に競技内容に逆転のボ−ルとするこが出来ることで、スリリングな競技効果を奏す。更に、簡単に覚えられる競技名称（球技名、ブラック  ボ−ル）に用いることも出来る。【００６０】  標的球を異なる色彩及び異なる数字を記した複数個としたことで、コ−ト内にカラフルな色彩球が配置されることで、明るく艶やかな球技スポ−ツを演出することが出来ると共に、子供や若い男女や社会人にも受け入れられる効果を奏す。【００６１】  そして、競技者用の自球を２個（先攻と後攻の競技者の相互に使用する自球は、異なる色の球を各１個を使用する）としたことから、一つのコ−トの競技者は少人数で競技を行うので、一人の競技参加時間を多くする効果を奏す。【００６２】  また、ショット用具の打撃部Ａ若しくは打撃部Ｂを用いて自球を打撃し、該自球を標的球に当て、そして、ショット用具を用いてダブルショットで標的球をポケット部に入れる若しくは多方面へ転がすことで、競技者はダブルショットの快感を得ると共に、該標的球をポケット部に入れる快感も得るが、これらの快感を得るためにも打撃技術の向上を目指す意識が発生し、スポ−ツ競技においての重要な要素である競技への面白みが沸き継続性も増す効果を奏す。【００６３】  更に、前記打撃部の長さを短くしたことで、打撃部の重量に係る衝撃が緩和されることで、打撃音が低下する効果を奏す。【００６４】  また更に、アウトラインを設けたことで、競技ル−ルに罰則を設けることが出来るので、競技が単調にならず、内容に変化を持たせることで競技に飽きない効果を奏す。【００６５】  そして、ポケット付コ−ナ−の底面に螺着された棒状の雄ねじＡのコ−ト固定部品を設けたことで、土のコ−トに簡単に挿着し、球技専用のコ−トのコ−ナ−を短時間に作りだす事が出来ると共に簡単に移動する事も出来、更に、コ−ト固定部品の個数を２個から３個としたことで、横からの耐圧力が強くなるので、標的球がポケット付コ−ナ−に打ち込まれても動き難い効果を奏す。【００６６】  更に、ポケット付コ−ナ−の開口部よりポケット部迄の間に、標的球が逆行しないように誘導部を設けたことで、相手の競技者がよそ見をしたときなどにポケット部に入った標的球の確認が出来、トラブルの原因を防ぐ効果を有す。【００６７】  また更に、ポケット付コ−ナ−の底面に人工芝を挾むシ−ト挾着部品を設けたことで、室内のフロアやコンクリ−トでの人工芝を用いた球技の専用コ−トを簡単作れる効果を奏す。【００６８】  また、ショット用具の打撃部Ａの先端部に滑り止めを設けたことで、自球の打撃時の回転や変化を作用させる効果を有す。【００６９】  そして、ショット用具の打撃部の内部に空洞部を設けないことで、打撃時の打撃反響音が低下することで、打撃音の苦情緩和に効果を奏す。【００７０】  また、各コ−ナ��に埋設する複数個の筒状の挿脱管を設けたことで、ポケット付コ−ナ−に装着したコ−ト固定部品を簡単に挿入することが出来るので、球技専用のコ−トを簡単に作ることが出来ると共に簡単に片づける事が出来る効果を奏す。【００７１】  このように、本発明の球技用具を用いることで、明るく艶やかさを感じる斬新な球技を行うことが出来、因って、少年や若者等年齢や性別に関係なく競技への参加興味を起こさせることが出来、新たなスポ−ツの発展に寄与する効果を奏す。
【発明の実施するため最良の形態】
【００７２】  以下、本発明の実施の形態を図１〜図１５に基づいて説明する。
【００７３】  図１においては、本発明の球技用具で、ポケット付コ−ナ−（５）は、コ−ト（１）の各コ−ナ−（２）の二辺に合致するように配設するが、黒色の標的球及び標的球を入れる開口部（３）と略円弧状のポケット部（４）を設けている。
【００７４】  図２においては、球技用具を用いた球技専用のコ−ト（１）である。コ−ト（１）の各コ−ナ−（２）には、ポケット付コ−ナ−（５）を配設し、アウトライン（７）を設けているが、アウトライン（７）はラインテ−プ（６）を用いているが、該ラインテ−プ（６）を押さえるにはコ字型の押さえ具や釘等を用いると良い。
【００７５】  図３及び図４においては、ポケット付コ−ナ−（５）の底面には雌ねじＡ（１９）を設けた装着部Ａ（２０）を設け、先端の細くなった棒状の雄ねじＡ（１７）を形成しているコ−ト固定部品（１８）を螺着する。これによって、該コ−ト固定部品（１８）は土のコ−ト（１）の場合には容易に地面に挿入することが出来、球技用の専用コ−ト（２１）を簡単に作る事が出来る。
【００７６】  図５においては、ポケット付コ−ナ−（５）には、開口部（３）及び誘導部（２２）及び略円弧状のポケット部（４）を設けているので、打撃されて入った黒色の標的球及び標的球がコ−ト（１）内に戻り難くなる。
【００７７】  図６においては、ポケット付コ−ナ−（５）の底面に装着された装着部Ｂ（２６）に設けられた雌ねじＢ（２５）に、シ−ト挟着部品（２４）に人工芝（２３）を挟み、該装着部Ｂ（２６）に雄ねじＢ（２７）で螺着した部分の底面図である。
【００７８】  図７においては、ポケット付コ−ナ−（５）の底面の両側部の装着部Ｃ（２８）に、ライン材Ａ（２９）に形成された装着部Ｄ（３０）を装着し、アウトライン（７）として配設した部分の底面図である。このような方法で、簡単に球技用の専用コ−ト（２１）が形成される。
【００７９】  図８及び図９においては、自球を打撃するショット用具（１０）であるが、打撃部Ａ（１２）と打撃部Ｂ（１３）を包括した硬質の部材からなる打撃部（１４）とグリップ部（１５）を設けたシャフト部（１６）から構成されているが、該打撃部Ａ（１２）及び該打撃部Ｂ（１３）は前記シャフト部（１６）を略中心に隣接対応し短くしている。打撃部Ａ（１２）の先端には自球の打撃時に対する回転や変化を作用させるための滑り止め（３１）を設け、打撃部Ｂ（１３）は硬質の部材である。
【００８０】  図１０においては、木材を用いたポケット付コ−ナ−（５）の平面図である。この形状にすることで、１枚の正方形の板材で２個の該ポケット付コ−ナ−（５）を製造をする事が出来、資源の有効利用が出来る。
【００８１】  図１１においては、木材を用いたポケット付コ−ナ−（５）の底面に２個の装着部Ａ（２０）を設けている。
【００８２】  図１２においては、図１０のＡ−Ａ断面図であるが，コ−ト固定部品（１８）を取り付けている。
【００８３】  図１３においては、図１２の装着部Ａ（２０）をポケット付コ−ナ−（５）に木螺子で取付け、更にコ−ト固定部品（１８）を取り付けた部分拡大図である。
【００８４】  図１４においては、ショット用具（１０’）の打撃部（１４’）には空洞部を設けない部分拡大図である。
【００８５】  図１５においては、ショット用具（１０’）の打撃部（１４’）には空洞部を設けないことで、製造工程を少なくすることが出来ると共に空洞部の反響音が発生しないので打撃音を低下させることも出来る。
【００８６】  以下、上記構成による球技への使用例を土のコ−トの例で説明する。四面を有せるコ−ト（１）の各コ−ナ−（２）に、棒状のコ−ト固定部品（１８）を設けたポケット付コ−ナ−（５）を各コ−ナ−（２）に夫々配設し、ラインテ−プ（６）を用いてアウトライン（７）を設ける。そして、出来上がった専用コ−ト（２１）内に、１個の黒色の標的球と異なる色彩に異なる数字を記した複数の前記標的球を該専用コ−ト（２１）内に配置し、１人対１人若しくは複数人対複数人の競技者は前記ショット用具（１０）を用いて前記自球を打撃し、その自球で数字の若い順番から前記標的球に当てるが、当たれば該競技者の履いている競技シュ−ズで該自球を押さえ、その当った該標的球を前記自球の横に並べ、前記ショット用具（１０）の前記打撃部（１４）の打撃部Ａ（１２）若しくは打撃部Ｂ（１３）で該自球のみを打撃し、その打撃した振動圧で該標的球のみを前記ポケット付コ−ナ−（５）に入れるが、定められた時間内に両競技者で全ての標的球を該ポケット付コ−ナ−（５）に入れ終わり、一方の競技者が多く標的球を入れても、最後に残った前記黒色の標的球を自で当て、前記スパ−ク打撃で前記ポケット付コ−ナ−（５）に入れた競技者の勝利とする競技に実施することが出来る球技用具である。
【００８７】  このように、本発明は、各々の用具の構成によって、年齢、性別や体重や身長などによる影響もなく、また、コ−ト内にはカラフルな球が散らばり明るく艶やかな新しい打撃を伴う球技が行える球技用具を提供することが出来る。
【図面の簡単な説明】
【００８８】
【図１】  図１は、本発明の第１の実施形態を示す球技用具のポケット付コ−ナ−の平面図である。
【図２】  図２は、本発明の第１の実施形態を示す球技用具を用いた専用コ−トの平面図である。
【図３】  図３は、本発明の第２の実施形態を示すポケット付コ−ナ−にコ−ト固定部品を螺着した正面図。
【図４】  図４は、本発明の第２の実施形態を示すポケット付コ−ナ−にコ−ト固定部品を螺着した部分の断面図。
【図５】  図５は、本発明の第３の実施形態を示すポケット付コ−ナ−の平面図。
【図６】  図６は、本発明の第５の実施形態を示すポケット付コ−ナ−にシ−ト挾着部品に人工芝を挾着した部分の底面図。
【図７】  図７は、本発明の第６の実施形態を示すポケット付コ−ナ−にライン材Ａを設けた部分の平面図。
【図８】  図８は、本発明の第７の実施形態を示すショット用具の正面図。
【図９】  図９は、本発明の第７の実施形態を示すショット用具の要部拡大図。
【図１０】  図１０は、本発明の第２の実施形態を示すポケット付コ−ナ−を木材とした平面図である。
【図１１】  図１１は、図１０の本発明の第２の実施形態を示すポケット付コ−ナ−の底面に装着部Ａを設けた底面図である。
【図１２】  図１２は、図１０の本発明の第２の実施形態を示すポケット付コ−ナ−にコ−ト固定部品を設けたＡ−Ａ断面図である。
【図１３】  図１３は、図１０の本発明の第２の実施形態を示すポケット付コ−ナ−の図１２の部分拡大断面図である。
【図１４】  図１４は、本発明の第８の実施形態を示すショット用具の打撃部に空洞を設けない部分拡大図である。
【図１５】  図１５は、図１４の部分拡大図である。
【符号の説明】
【００８９】    １．  コ−ト                          ２．  コ−ナ−
３．  開口部                          ４．  ポケット部
５．  ポケット付コ−ナ−              ６．  ラインテ−プ
７．  アウトライン
１０．  ショット用具
１２．  打撃部Ａ
１３．  打撃部Ｂ                      １４．  打撃部
１５．  グリップ部                    １６．  シャフト部
１７．  雄ねじＡ                      １８．  コ−ト固定部品
１９．  雌ねじＡ                      ２０．  装着部Ａ
２１．  専用コ−ト                    ２２．  誘導部
２３．  人工芝                        ２４．  シ−ト挾着部品
２５．  雌ねじＢ                      ２６．  装着部Ｂ
２７．  雄ねじＢ                      ２８．  装着部Ｃ
２９．  ライン材Ａ                    ３０．  装着部Ｄ
３１．  滑り止め                      ３２．  挿脱管
１０’．ショット用具                  １４’．打撃部
【図１】
2008154993.tif 000003
【図２】
2008154993.tif 000004
【図３】
2008154993.tif 000005
【図４】
2008154993.tif 000006
【図５】
2008154993.tif 000007
【図６】
2008154993.tif 000008
【図７】
2008154993.tif 000009
【図８】
2008154993.tif 000010
【図９】
2008154993.tif 000011
【図１０】
2008154993.tif 000012
【図１１】
2008154993.tif 000013
【図１２】
2008154993.tif 000014
【図１３】
2008154993.tif 000015
【図１４】
2008154993.tif 000016
【図１５】
2008154993.tif 000017